(57)【特許請求の範囲】
【請求項１】
スプリンクラヘッドが接続され、充水された二次側配管と、該二次側配管の基端側に設けられた流水検知手段と、前記スプリンクラヘッドと同じ防護区域に設置され、センサ出力を出力するアナログ型火災感知器と、前記二次側配管の基端側に設けられ、前記アナログ型火災感知器が火災を検知した時に開放される開放弁とを備えたスプリンクラ消火設備において、
前記開放弁の二次側に設けられた、常時は閉じられた排水弁と、前記流水検知手段が二次側配管内の流水を検知し、かつ前記火災感知器が火災を検知していない時に、前記排水弁に開弁信号を出力する制御手段とを備え、
前記アナログ型火災感知器のセンサ出力が上昇傾向にある時には、前記制御手段は、前記排水弁へ開弁信号を出力しないことを特徴とするスプリンクラ消火設備。
【請求項２】
前記排水弁に開弁信号を出力した後、前記火災感知器が火災を検知した時に、前記制御手段は、前記排水弁に閉弁信号を出力することを特徴とする請求項１記載のスプリンクラ消火設備。
【発明の詳細な説明】
【０００１】
【発明の属する技術分野】
この発明は、スプリンクラ消火設備に関するものである。
【０００２】
【従来の技術】
スプリンクラヘッドによる水損を防止する設備として、予作動式のスプリンクラ消火設備がある。この設備は二次側配管の基端に、火災感知器からの火災信号により開放する弁を備えるものである。
【０００３】
この予作動式のスプリンクラ消火設備において、二次側配管内を乾式にしておくと、ヘッドが暴発しても水損は全く生じないが、火災時に放水遅れを生じる場合がある。このため二次側配管内を湿式にして放水遅れを改善したものが、例えば特公平７−１２３８２号に開示されている。
【０００４】
【発明が解決しようとする課題】
特公平７−１２３８２号は、二次側配管内に水を封入することで、火災時に直ちに放水を開始できるという利点を有する。しかしその一方で、スプリンクラヘッドが暴発すると、二次側配管内に封入された水全てが該ヘッドから流出され、予作動式にも関わらず水損が発生するという問題がある。そこで、本発明は湿式の予作動方式のスプリンクラ消火設備において、ヘッドが暴発した場合の水損を少なくすることを目的とする。
【０００５】
【課題を解決するための手段】
本発明は、スプリンクラヘッドが接続され、充水された二次側配管と、該二次側配管の基端側に設けられた流水検知手段と、前記スプリンクラヘッドと同じ防護区域に設置され、センサ出力を出力するアナログ型火災感知器と、前記二次側配管の基端側に設けられ、前記アナログ型火災感知器が火災を検知した時に開放される開放弁とを備えたスプリンクラ消火設備において、
前記開放弁の二次側に設けられた、常時は閉じられた排水弁と、前記流水検知手段が二次側配管内の流水を検知し、かつ前記火災感知器が火災を検知していない時に、前記排水弁に開弁信号を出力する制御手段とを備え、
前記アナログ型火災感知器のセンサ出力が上昇傾向にある時には、前記制御手段は、前記排水弁へ開弁信号を出力しないことを特徴とするものである。
【０００６】
【発明の実施の形態】
図１は本発明のスプリンクラ消火設備の系統図である。図において、１は閉鎖型スプリンクラヘッド２が接続された二次側配管で、内部は加圧された水によって充水されている。３は二次側配管１の基端側に設けられた流水検知手段としての流水検知装置で、二次側配管１内の加圧水がスプリンクラヘッド２から流出する時に、その流れ、つまり配管１内に生じる圧力低下を圧力スイッチＰＳで検知して後述の制御盤に流水信号を出力するものである。
【０００７】
５はスプリンクラヘッド２と同じ防護区域に設置された火災感知器で、火災を検知した時に制御盤１０に火災信号を出力する。６は二次側配管１の基端側に設けられた、常時は閉じた開放弁で、火災感知器５が火災を検知し、且つ流水検知装置３が二次側配管１内の流水を検知した時に開放されるものである。
【０００８】
８は電動弁などから構成される排水弁で、二次側配管１の開放弁６の二次側に分岐して設けられた排水管９に取り付けられる。１０は制御手段としての制御盤で、流水検知装置３が二次側配管１内の流水を検知し、かつ火災感知器５が火災を検知していない時に、排水弁８に開弁信号を出力するものの例である。言い換えれば、流水検知装置３からの流水信号が入力され、火災感知器５からの火災信号が入力されていない時に、排水弁８に開弁信号を出力する。なお制御盤１０は、排水弁８に開弁信号を出力した後、火災感知器５が火災を検知した場合には、排水弁８に閉弁信号を出力するものである。
【０００９】
なお１２は一端側が開放弁６に接続され、他端側が消火ポンプ１３を介して水源水槽１４に接続された一次側配管で、１５は一次側配管１２に接続された圧力空気槽１７に設置された圧力スイッチ１９の信号に基づいて消火ポンプ１３の起動を制御するポンプ制御盤である。
【００１０】
次に、このようなスプリンクラ消火設備について、スプリンクラヘッド２が火災以外の原因により動作する場合について説明する。まずスプリンクラヘッド２が暴発すると、二次側配管１内に充水されていた加圧水が該ヘッド２から流出する。これにより二次側配管１内の圧力が低下し、その圧力低下が流水検知装置３の圧力スイッチＰＳによって検知され、流水検知装置３が制御盤１０に流水信号を出力する。
【００１１】
この時、スプリンクラヘッド２の動作は、外力等によるもので、火災が原因ではない。このため火災感知器５は動作していないので、制御盤１０には火災感知器５からの火災信号が入力されない。よって制御盤１０は排水弁８に開弁信号を出力し、排水弁８を開放させる。
【００１２】
排水弁８が開放されると、二次側配管１内の水は、暴発したスプリンクラヘッド２からだけでなく、排水管９を通って、排水弁８からも流出されることになる。よってスプリンクラヘッド２が暴発した場合に生じる水損を少なくすることができる。このように制御盤１０の制御処理は、火災が発生した場合、通常ならば、火災感知器５の方がスプリンクラヘッド２よりも先に動作するという原理に基づくものである。
【００１３】
ところで制御盤１０は、流水信号の入力後、火災信号の入力がある場合には、一度開放した排水弁８に対して、閉弁信号を出力して排水弁８を閉じさせる。これは、火災であるにも関わらず、火災感知器５よりも先にスプリンクラヘッド２が動作するという場合に対処するためである。このようなケースは、例えばスプリンクラヘッド２の直下で火災が発生し、しかもそこが火災感知器５の設置場所と離れているような場合に起こる。
【００１４】
なお火災感知器５にアナログ型火災感知器を使用することで、火災感知器５よりも先にスプリンクラヘッド２が動作する場合に対して無駄なく放水することが可能になる。例えば、この場合では、制御盤１０はポーリングにより周期的に火災感知器５からセンサ出力を収集し、該センサ出力と火災閾値を比較して、火災か否かを判断する。
【００１５】
この時、制御盤１０に複数のセンサ出力、例えば３分間分のセンサ出力を格納するためのメモリを設けておき、流水信号が入力した際に、今回火災感知器より収集したセンサ出力と、３分前のセンサ出力との差分をとり、該差分値が所定値以上であり、センサ出力が上昇傾向にある場合には、例えセンサ出力が火災閾値に達していなくても、火災の可能性が高いものと判断して排水弁への開弁信号の出力を行わないようにすればよい。
【００１６】
本発明は以上に説明した実施形態に限られるものではなく、例えば、開放弁は火災感知器からの火災信号のみによって開放する弁であってもよい。また排水弁と末端試験弁を併用させて、ヘッド暴発時、末端試験弁を開放するようにしてもよい。
【００１７】
【発明の効果】
本発明は、火災信号と流水信号の両方の発生により開放する開放弁を備えた湿式の予作動式のスプリンクラ消火設備において、その開放弁の二次側に、常時は閉じた排水弁を設け、流水検知手段が二次側配管内の流水を検知し、かつ火災感知器が火災を検知していない時に、この排水弁を開放するようにしたので、スプリンクラヘッドの暴発時における水損を少なくすることができる。
【００１８】
また排水弁を開放させた後に、火災感知器が火災を検知した時には、排水弁に閉弁信号を出力して閉じるようにしたので、火災感知器よりも先にスプリンクラヘッドが動作する場合でも、スプリンクラヘッドから放水して火災を消火することができる。
【００１９】
また火災感知器にアナログ型火災感知器を使用して、センサ出力が上昇傾向にあるどうかを判断して、排水弁の開閉の制御を行うようにしたので、火災時に、スプリンクラヘッドが火災感知器より先に動作した場合、排水弁へ開弁信号を出力しないので、二次側配管内に充水された水を全て無駄なく、スプリンクラヘッドから放水することができる。
【図面の簡単な説明】
【図１】本発明のスプリンクラ消火設備の系統図である。
【符号の説明】
１  二次側配管、  ２  スプリンクラヘッド、３  流水検知装置、
５  火災感知器、  ６  開放弁、  ８  排水弁、  ９  排水管、
１０  制御盤、  １２  一次側配管、  １３  消火ポンプ、  １４  水槽、
１５  ポンプ制御盤、  １７  圧力空気槽、  １９  圧力スイッチ、
【図１】
0003703126.tif 000002